(57)【要約】【課題】印刷又はマスキングによるプリントにより半透明の鏡手段を構成することができ、これと任意情報を点灯表示できる装置とを組み合わせることにより、簡単に点灯表示装置を構成するようにしたものである。【解決手段】透光性基材２の裏面側に遮光部４と透光部５とが混在する模様域６を設け、情報を表示する表示体３の表面に発光体７からなる情報表示域８を設け、前記透光性基材２の裏面側と表示体３の表面側とを接合させ、透光性基材２の透光部５を通して表示体３の発光情報を視認できるようにしている。また発光体７が発光していない状態では模様域がそのまま見え、ミラーとしても利用することができる。【選択図】  図１
2004309956.tif 000002
【特許請求の範囲】
【請求項１】
透光性基材の裏面側に遮光部と透光部とが混在する模様域を設け、情報を表示する表示体の表面に発光体からなる情報表示域を設け、前記透光性基材の裏面側と表示体の表面側とを接合させ、透光性基材の透光部を通して表示体の発光情報を視認できるようにしたことを特徴とする情報表示装置。
【請求項２】
遮光部が蛍光材又は蓄光材で形成されている請求項１に記載の情報表示装置。
【請求項３】
透光性基材の裏面側に遮光部と透光部とが混在する模様域を設け、情報を表示する表示体の表面に発光体からなる情報表示域を設け、前記透光性基材の裏面側と表示体の表面側とを接合させ、透光性基材の透光部を通して表示体の発光情報を視認できるようにした情報表示装置を、ガラス板裏面側の銀幕の付着されていない領域に取り付けたことを特徴とする情報表示装置。
【請求項４】
ガラス板の裏面側に銀幕を付着させた鏡面部と、銀幕の付着されていない表示部とを設け、該表示部に遮光部と透光部とが混在する模様域を設け、情報を表示する表示体の表面に発光体からなる情報表示域を設けて前記模様域に接合させ、ガラス板裏面側の模様域の透光部を通して表示体の発光情報を視認できるようにしたことを特徴とする情報表示装置。
【発明の詳細な説明】
【０００１】
【発明の属する技術分野】
本発明は、透光性基材の裏面側に発光体によって情報を表示する装置を組み込み、必要なときに発光させて情報を表示し、発光表示しないときは鏡等として利用することのできる技術に関するものである。
【０００２】
【従来の技術】
鏡の表面に情報を表示する装置としては、例えば、特許文献１及び２に記載された技術がある。特許文献１に記載された技術は、鏡手段となるガラス板の裏面全面に透過率が１０〜５０％の銀幕を蒸着して半透明とし、その裏面側に発光表示手段を設けている。発光表示手段は、予め文字や絵等の任意の画像を切り抜いたマスクシートと、電圧を印加することにより発光する無機発光体を用いたエレクトロルミネッセンシートとから成り、エレクトロルミネッセンシートに電圧を加えて発光させることにより、前記切り抜いた画像が鏡の表面に映し出されるものである。
【０００３】
一方、特許文献２に記載された技術は、ミラー本体の裏面側に半透明のカバーを設けてハーフミラーとし、その裏面側に透過性保護板を介して液晶表示部及びバックライトを設けている。バックライトを点灯させて液晶表示部の画像をミラー本体の表面に映し出して情報を表示するようにし、またバックライトを点灯させない状態ではミラーとして使用している。
【０００４】
【特許文献１】
特開２００２−２２３９１０号公報（特に、第５頁右欄及び第６頁左欄の記載並びに図１及び図２を参照）
【特許文献２】
特開２００２−２２９４９４号公報（特に、第３頁の記載並びに図１及び図２を参照。）
【０００５】
【発明が解決しようとする課題】
このように、特許文献１及び２に記載された鏡に情報を表示する従来の装置にあっては、いずれもミラー本体を構成するガラス板等の裏面全面を半透明としたハーフミラーを用いている。しかも、半透明の程度を透過率を調整することで行っている。そのため、ガラス板の裏面に蒸着する銀の調合や塗布厚み等に細心の注意が必要であり、目的に応じた透過率の半透明材料を簡単に製造するということはできなかった。また特許文献１のものでは、切り抜いた画像しか点灯表示されないことになり、表示する情報が制限されるという欠点があった。一方、特許文献２に記載された技術では、バックライトを用いており、バックライトの消費電力が嵩むという欠点があった。
【０００６】
本発明は従来の前記課題に鑑みてこれを改良除去したものであって、印刷又はマスキングによるプリントにより半透明の鏡手段を構成することができ、これと任意情報を点灯表示できる装置とを組み合わせることにより、簡単に点灯表示装置を構成するようにしたものである。
【０００７】
【課題を解決するための手段】
而して、前記課題を解決するために本発明が採用した請求項１の手段は、透光性基材の裏面側に遮光部と透光部とが混在する模様域を設け、情報を表示する表示体の表面に発光体からなる情報表示域を設け、前記透光性基材の裏面側と表示体の表面側とを接合させ、透光性基材の透光部を通して表示体の発光情報を視認できるようにしたことを特徴とする情報表示装置である。
遮光部と透光部とが混在する模様域は、その裏面側の発光体が発光していない状態では模様域がそのまま見え、またミラーとして利用することができる。発光体が発光しているときは、発光体による表示情報が模様域の透光部を通して見えるようになり、模様域の模様自体は逆光効果で見えなくなる。つまり、発光情報のみを表示することが可能である。
【０００８】
また本発明が採用した請求項２の手段は、遮光部が蛍光材又は蓄光材で形成されている請求項１に記載の情報表示装置である。
遮光部を蛍光材又は蓄光材で形成することにより、発光表示していない状態で遮光部の模様が浮き上がってより鮮明に表示されるようになる。
【０００９】
更に、本発明が採用した請求項３の手段は、透光性基材の裏面側に遮光部と透光部とが混在する模様域を設け、情報を表示する表示体の表面に発光体からなる情報表示域を設け、前記透光性基材の裏面側と表示体の表面側とを接合させ、透光性基材の透光部を通して表示体の発光情報を視認できるようにした情報表示装置を、ガラス板裏面側の銀幕の付着されていない領域に取り付けたことを特徴とする情報表示装置である。
この発明では、完全に鏡面として利用できる領域と、発光情報表示領域とに分けて使用することができ、ミラーを使用する頻度の高い場合に適している。またこの発明では、発光表示領域に請求項１に記載の発光表示装置を取り付けており、装置全体の製作が容易である。
【００１０】
更にまた、本発明が採用した請求項４の手段は、ガラス板の裏面側に銀幕を付着させた鏡面部と、銀幕の付着されていない表示部とを設け、該表示部に遮光部と透光部とが混在する模様域を設け、情報を表示する表示体の表面に発光体からなる情報表示域を設けて前記模様域に接合させ、ガラス板裏面側の模様域の透光部を通して表示体の発光情報を視認できるようにしたことを特徴とする情報表示装置である。
この発明では、ガラス板裏面側の銀幕の付されていない表示部に、直接請求項１に記載の表示装置を構成するようにしている。ミラーを使用する頻度の高い場合に適しており、また表示装置の構成が簡単である。
【００１１】
【発明の実施の形態】
以下に、本発明の構成を図面に示す発明の実施の形態に基づいて説明すると次の通りである。図１は本発明の第１の実施の形態に係る表示装置１に係るものであり、透光性基材２と表示体３とを分解して示す側面図である。同図に示すように、この表示装置１は、透光性基材２の裏面側に遮光部４と透光部５とが混在する模様域６を設けている。模様域６は、インクや塗料等の材料を用いてドット印刷、メッシュ印刷等の手法により遮光部４を形成し、遮光部４どうしの間に透光部５が形成されるようにする。
【００１２】
またエレクトロルミネッセンス素子（ＥＬ素子）や発光ダイオード（ＬＥＤ）を発光体７として表面側に備えるか又は液晶ディスプレー（ＬＣＤ）やプラズマディスプレーパネル（ＰＤＰ）からなる表示体３を準備し、該表示体３の発光体側を情報表示域８としている。そして、透光性基材２の裏面側に形成した模様域６と、表示体３の表面側に形成した情報表示域８とを接合させて一体化し、情報表示装置１としている。
【００１３】
このように構成された情報表示装置１にあって、遮光部４と透光部５とが混在する模様域６では、その裏面側の発光体７が発光していない状態では模様域６の遮光部４の模様状態がそのまま見えることになる。また透光性基材２を透過して遮光部４で反射した光によってミラーの機能をも併せ持つことができる。すなわち、発光表示を行っていない状態では、遮光部４の模様の表示と、ミラーとしての利用とが可能である。
【００１４】
一方、発光体７を発光させたときは、発光体７による表示情報が模様域６の透光部４を通して透光性基材２の表面側から見えるようになり、模様域６の模様自体は逆光効果で見えなくなる。つまり、発光情報のみを表示することが可能である。この発光情報は、発光体７のうちの発光させるものを選択することにより、任意の文字情報や画像情報として表示させることが可能である。
【００１５】
また透光性基材２の裏面側に形成した模様域６の遮光部４の材料は、インク以外にも、例えば蛍光材又は蓄光材を採用することが可能である。蛍光材又は蓄光材を用いた場合は、発光表示していない状態において、蛍光材又は蓄光材の自らの蓄光効果により遮光部４の模様を浮き上がらせてより鮮明に表示することが可能である。
【００１６】
図２は本発明の第２の実施の形態に係る情報表示装置９を示す側面図である。同図に示す如く、この実施の形態にあっては、透光性基材としてのガラス板１２の裏面側に銀幕１０Ａの蒸着されたミラー領域１０と、銀幕の蒸着されていない情報表示域１１とを設けている。そして、情報表示域１１に、前記図１に示す構成の発光表示装置１を取り付けている。発光表示装置１は、上述した通りであり、透光性基材２の裏面側に遮光部４と透光部５とが混在する模様域６を設けている。模様域６は、インクや塗料等の材料を用いてドット印刷、メッシュ印刷等の手法により遮光部４を形成し、遮光部４どうしの間に透光部５が形成されるようにしている。
【００１７】
なお、ガラス板裏面のミラー領域１０に蒸着した銀幕１０Ａの端部にシケ防止のための端末処理部４Ａを形成することにより、銀幕１０Ａの端部から湯水等が浸透して銀幕１０Ａが剥離するというシケを防止することが可能である。更に、銀幕１０Ａには樹脂等により保護層１０Ｂを形成するようにすれば長寿命化が可能である。
【００１８】
またエレクトロルミネッセンス素子（無機ＥＬ素子）や発光ダイオード（ＬＥＤ）を発光体７として表面側に備えるか又は液晶ディスプレー（ＬＣＤ）やプラズマディスプレーパネル（ＰＤＰ）からなる表示体３を準備し、該表示体３の発光体側を情報表示域８としている。そして、透光性基材２の裏面側に形成した模様域６と、表示体３の表面側に形成した情報表示域８とを接合させて一体化し、情報表示装置１としている。情報表示域１１への情報表示装置１の取り付けは、接着方式又は付属器具を用いて機械的に行うようにすればよい。
【００１９】
従って、このように構成された第２の実施の形態に係る情報表示装置９は、ガラス板１２の裏面側に銀幕１０Ａを蒸着したミラー領域１０が、ミラーとしての機能を有しており、洗面化粧台等のミラーを使用する頻度の高い場合に適している。一方、裏面側に銀幕の蒸着されていない情報表示領域１１では、情報表示装置１の発光体７を発光させて任意の文字情報や画像詳報を表示させることができる。また発光させない状態では、模様域６の遮光部４の模様状態をそのまま反映させることができると共に、ガラス板１２及び透光性基材２を透過して遮光部４で反射した光によって部分的に反射率の低いミラー機能をも併せ持つことができる。
【００２０】
図３は、本発明の第３の実施の形態に係る情報表示装置１３を示す側面図である。同図に示す如く、図２に示す第２の実施の形態の情報表示装置９が、ガラス板裏面側の銀幕の蒸着されていない情報表示領域１１に、予め製作しておいた情報表示装置１を取り付けたものであるのに対し、この第３の実施の形態では、前記情報表示領域１１に、直接情報表示装置１と同じ構造のものを設けるようにしている。すなわち、ガラス基板１２の裏面側において、銀幕の蒸着されていない情報表示領域１１に、遮光部４と透光部５とが混在する模様域６を設けている。模様域６は、インクや塗料等の材料を用いてドット印刷、メッシュ印刷等の手法により遮光部４を形成し、遮光部４どうしの間に透光部５が形成されるようにしている。また印刷による遮光部４の形成に際し、ミラー領域１０の銀幕１０Ａの端部にシケ防止のための端末処理部４Ａを同時に形成することにより、銀幕１０Ａの端部から湯水等が浸透して銀幕１０Ａが剥離するというシケを防止することが可能である。更に、銀幕１０Ａには樹脂等により保護層１０Ｂを形成するようにすれば長寿命化が可能である。
【００２１】
更に、エレクトロルミネッセンス素子（無機ＥＬ素子）や発光ダイオード（ＬＥＤ）を発光体７として表面側に備えるか又は液晶ディスプレー（ＬＣＤ）やプラズマディスプレーパネル（ＰＤＰ）からなる表示体３を準備し、該表示体３の発光体側を情報表示域８としている。そして、透光性基材２の裏面側に形成した模様域６と、表示体３の表面側に形成した情報表示域８とを接合させて一体化している。
【００２２】
このように構成された情報表示装置１３であれば、ガラス板１２の裏面側に銀幕１０Ａを蒸着したミラー領域１０が、ミラーとしての機能を有し、洗面化粧台等のミラーを使用する頻度の高い場合に適している。一方、裏面側に銀幕の蒸着されていない情報表示領域１１では、情報表示装置１の発光体７を発光させて任意の文字情報や画像詳報を表示させることができる。また発光させない状態では、模様域６の遮光部４の模様状態をそのまま反映させることができると共に、ガラス板１２を透過して遮光部４で反射した光によって部分的に反射率の低いミラー機能をも併せ持つことができる。
【００２３】
ところで、本発明は上述した実施の形態に限定されるものではなく、適宜の変更が可能である。例えば、情報表示装置１は、洗面化粧台のミラーへ利用する以外にも、車の窓、住宅の窓、携帯電話の表示部、家電品の表示部等への利用が可能である。
【００２４】
【発明の効果】
以上説明したように請求項１の発明にあっては、透光性基材の裏面側に遮光部と透光部とが混在する模様域を設け、情報を表示する表示体の表面に発光体からなる情報表示域を設け、前記透光性基材の裏面側と表示体の表面側とを接合させ、透光性基材の透光部を通して表示体の発光情報を視認できるようにしている。そのため、発光体が発光していない状態では模様域がそのまま見え、またミラーとして利用することができる。発光体が発光しているときは、発光体による表示情報が模様域の透光部を通して見えるようになり、模様域の模様自体は逆光効果で見えなくなる。つまり、発光情報のみを表示することが可能である。
【００２５】
また請求項２の発明にあっては、遮光部を蛍光材又は蓄光材で形成するようにしている。この場合は、発光表示していない状態で遮光部の模様が浮き上がってより鮮明に表示されるようになるという利点がある。
【００２６】
更に、請求項３の発明にあっては、前記請求項１に記載の発明の情報表示装置をガラス板裏面側の銀幕の付着されていない領域に取り付けている。従って、この発明では、完全に鏡面として利用できる領域と、発光情報表示領域とに分けて使用することができ、ミラーを使用する頻度の高い場合に適している。また予め製作しておいた請求項１に記載の発光表示装置を取り付ければよく、装置全体の製作が容易である。
【００２７】
更にまた、請求項４の発明にあっては、ガラス板裏面側の銀幕の付着されていない表示部に遮光部と透光部とが混在する模様域を設け、情報を表示する表示体の表面に発光体からなる情報表示域を設けて前記模様域に接合させ、ガラス板裏面側の模様域の透光部を通して表示体の発光情報を視認できるようにしている。
従って、この発明では、ガラス板裏面側の銀幕の付されていない表示部に、直接請求項１に記載の表示装置を構成するようにしている。ミラーを使用する頻度の高い場合に適しており、また表示装置の構成が簡単である。
【図面の簡単な説明】
【図１】本発明の第１の実施の形態に係る情報表示装置の分解側面図である。
【図２】本発明の第２の実施の形態に係る情報表示装置の分解側面図である。
【図３】本発明の第３の実施の形態に係る情報表示装置の分解側面図である。
【符号の説明】
１…情報表示装置、２…透光性基板、３…表示体、４…遮光部、４Ａ…端末処理部、５…透光部、６…模様部、７…発光体、８…情報表示域、９…情報表示装置、１０…銀幕の付着されている領域、１０Ａ…銀幕、１０Ｂ…保護層、１１…銀幕の付着されていない領域、１２…ガラス板、１３…情報表示装置
【図１】
2004309956.tif 000003
【図２】
2004309956.tif 000004
【図３】
2004309956.tif 000005